【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
複数のサービスプロバイダインターフェイスとの間においてアナログ信号を通信するべく適合されていると共に、複数の通信リンク上においてデジタル化されたスペクトルを送受信するべく適合されたマスタホストユニットであって、アナログ信号とデジタル化されたスペクトルとの間において変換するための回路を含む、マスタホストユニットと、
デジタル通信媒体上において前記マスタホストユニットに対して通信可能に結合された少なくとも１つのリモートサーバユニットであって、アナログ信号とデジタル化されたスペクトルとの間において変換するべく適合されていると共に、アナログ信号を増幅するべく適合されており、デジタル化されたスペクトルを用いて前記マスタホストユニットと通信するべく更に適合された少なくとも１つのリモートサーバユニットと、
アナログ通信媒体上において前記少なくとも１つのリモートサーバユニットの中の１つに対してそれぞれがアナログ信号を用いて通信可能に結合された複数のリモートユニットであって、関連付けられた前記サービスプロバイダインターフェイス用の複数の無線インターフェイス上において無線信号を送受信するべくそれぞれが適合された複数のリモートユニットと、
を有する通信システム。
【請求項２】
アナログ信号とデジタル化されたスペクトルの間において変換するための前記マスタホストユニットの前記回路は、選択された周波数帯域内の信号に関して動作するべくそれぞれ適合された複数のホストユニットを有する請求項１記載のシステム。
【請求項３】
前記マスタホストユニットは、前記複数のホストユニットのそれぞれに結合されたマルチプレクサを含む請求項２記載のシステム。
【請求項４】
前記マスタホストユニットは、前記マスタホストユニットと前記リモートユニットの間においてアラーム情報を通信するための複数のモデムをも含む請求項１記載のシステム。
【請求項５】
前記少なくとも１つのリモートサーバユニットは、前記複数のリモートユニット用の電力を注入する請求項１記載のシステム。
【請求項６】
前記少なくとも１つのリモートサーバユニットは、様々な周波数帯域内の信号に適用される減衰／利得を調節するべく前記リモートユニットによって使用されるテレメトリトランシーバを含む請求項１記載のシステム。
【請求項７】
前記テレメトリトランシーバは、前記アナログ無線信号の中の少なくとも２つのものの周波数帯域の間の周波数において通信する請求項６記載のシステム。
【請求項８】
前記マスタホストユニットと少なくとも２つのリモートサーバユニットとの間に介在するマスタ拡張ユニットを更に含む請求項１記載のシステム。
【請求項９】
前記デジタル通信媒体は、光ケーブル、自由空間オプティクス、ミリメートル波無線リンク、無線媒体、及び高速銅線の中の少なくとも１つを有する請求項１記載のシステム。
【請求項１０】
無線信号のカバレッジを少なくとも１つの実質的に閉鎖された環境内に提供する方法において、
ダウンストリームにおいて、
少なくとも２つのサービスプロバイダインターフェイス用の無線信号をデジタル化する段階と、
前記デジタル化された無線信号を多重化する段階と、
前記多重化された信号を少なくとも１つのデジタル通信媒体上において搬送する段階と、
前記多重化された信号を逆多重化する段階と、
前記逆多重化された信号をアナログ信号に変換する段階と、
前記アナログ信号を増幅する段階と、
前記少なくとも２つのサービスプロバイダインターフェイス用の前記増幅されたアナログ信号を合成する段階と、
前記合成された増幅されたアナログ信号を少なくとも１つのリモートユニットに対して搬送する段階と、
前記合成された増幅されたアナログ信号を前記少なくとも１つのリモートユニットにおいて送信する段階と、
アップストリームにおいて、
前記少なくとも２つのサービスプロバイダインターフェイス用の信号を受信する段階と、
前記受信した信号をアナログトランスポート媒体上において搬送する段階と、
前記受信した信号を宛先である前記少なくとも２つのサービスプロバイダインターフェイスに基づいて分割する段階と、
前記分割された信号をデジタル化された信号に変換する段階と、
前記デジタル化された信号を多重化する段階と、
前記多重化されたデジタル化された信号をデジタルトランスポート媒体上において搬送する段階と、
前記デジタル化された信号をアナログ信号に変換する段階と、
前記アナログ信号を関連付けられた前記サービスプロバイダインターフェイスに対して供給する段階と、
を有する方法。
【請求項１１】
無線信号のカバレッジを少なくとも１つの実質的に閉鎖された環境内に提供する方法において、
マスタホストユニットにおいて、アナログ及びデジタル化されたフォーマットの間において少なくとも２つの無線サービス用の無線スペクトルを変換する段階と、
前記マスタホストユニットとリモートサーバユニットとの間において、多重化された信号としてデジタルフォーマットにおける前記無線スペクトルをデジタル媒体上において搬送する段階と、
前記リモートサーバユニットにおいて、前記少なくとも２つの無線サービス用の無線スペクトルを、デジタルフォーマットからアナログフォーマットへ変換する段階と、
前記リモートサーバユニットと、前記少なくとも２つの無線サービスのそれぞれのもの用の無線インターフェイスを具備した少なくとも１つのリモートユニットとの間において、前記少なくとも２つの無線サービス用の無線スペクトルをアナログフォーマットにおいて搬送する段階と、
前記少なくとも１つのリモートユニットにおいて、前記無線スペクトルをアナログフォーマットにおいて送信する段階と、
を有する方法。
【請求項１２】
前記マスタホストユニットと前記少なくとも１つのリモートユニットとの間においてアラーム及びその他のメッセージを搬送する段階を更に有する請求項１１記載の方法。
【請求項１３】
前記リモートサーバユニットから前記少なくとも１つのリモートユニットに対して電力を更に供給している請求項１１記載の方法。
【請求項１４】
前記デジタルフォーマットにおいて無線スペクトルを搬送する段階は、光ファイバケーブル、自由空間オプティクス、高速銅線、ミリメートル波無線リンク、及び高周波信号の中の１つによって前記無線スペクトルを搬送する段階を有する請求項１１記載の方法。
【請求項１５】
複数の建物内において少なくとも２つの無線サービス用の無線カバレッジを提供するための通信システムにおいて、
基地局インターフェイス及びトランスポートインターフェイスを具備したマスタホストユニットであって、前記基地局インターフェイスは、前記少なくとも２つの無線サービスと通信するべく適合されている、マスタホストユニットと、
前記複数の建物の中の１つのものの内部にそれぞれが配設されており、且つ、前記マスタホストユニットの前記トランスポートインターフェイスと関連付けられた複数のリモートサーバユニットと、
前記トランスポートインターフェイスの１つのポートと前記関連付けられたリモートサーバユニットとの間にそれぞれが結合された複数のデジタル通信リンクであって、前記サービスのそれぞれのもの用の多重化されたデジタル化スペクトルを搬送する複数のデジタル通信リンクと、
前記複数のリモートサーバユニットのそれぞれのもの用の複数のアナログ通信リンクと、
前記複数のアナログ通信リンクの中の１つの上において前記複数のリモートサーバユニットの中の１つのもののポートにそれぞれが結合された複数のリモートユニットであって、前記少なくとも２つの無線サービスのそれぞれのもの用の無線インターフェイスを提供する複数のリモートユニットと、
を有する通信システム。
【請求項１６】
少なくとも２つの周波数レンジ内の無線信号を使用することにより、少なくとも２つのサービスとインターフェイスする手段と、
前記インターフェイスする手段に結合されており、前記少なくとも２つのサービス用の前記無線信号をデジタル化された多重化フォーマットにおいて搬送する第１手段と、
搬送する前記第１手段に結合されており、前記少なくとも２つのサービス用の前記無線信号をアナログフォーマットにおいて搬送する第２手段と、
搬送する前記第２手段に結合されており、前記少なくとも２つのサービス用の前記無線信号を少なくとも２つの無線インターフェイス上において通信する手段と、
を有する通信システム。
【請求項１７】
前記無線信号を搬送する前記第２手段上において電力を供給する手段を更に含む請求項１６記載のシステム。
【請求項１８】
前記システム上においてアラームメッセージを搬送する手段を更に含む請求項１６記載のシステム。
【請求項１９】
搬送する前記第１手段内に介在しており、デジタル的に信号を加算及び分割することによってポイントツーマルチポイント伝送を実現する手段を更に有する請求項１６記載のシステム。
【請求項２０】
搬送する前記第２手段と関連付けられており、前記無線信号を通信する前記手段において前記無線信号に適用される相対的な減衰を決定する手段を更に含む請求項１６記載のシステム。
【請求項２１】
複数のサービス用の無線スペクトルをデジタル化された多重化されたフォーマットにおいて搬送する通信媒体に結合されたマルチプレクサと、
前記マルチプレクサに結合されており、デジタル化された前記無線スペクトルをアナログフォーマットに変換するべくそれぞれが構成された複数のデジタルリモートユニットと、
複数のリモートユニットに対してアナログ媒体上において伝送するべく、アナログの前記無線スペクトルを選択的に増幅する少なくとも１つの双方向増幅器と、
を有するリモートサーバユニット。
【請求項２２】
電力を前記アナログ媒体上に注入する電源回路を更に有する請求項２１記載のリモートサーバユニット。
【請求項２３】
減衰のために前記リモートユニットに伝送するべく前記アナログ媒体上にテレメトリ信号を注入するテレメトリトランシーバを更に含む請求項２１記載のリモートサーバユニット。
【請求項２４】
前記マルチプレクサと前記少なくとも１つの双方向増幅器の間に結合されており、アラーム及びその他のメッセージを通信するモデム及びアラームコンセントレータを更に有する請求項２１記載のリモートサーバユニット。
【手続補正２】
【補正対象書類名】明細書
【補正対象項目名】００２５
【補正方法】変更
【補正の内容】
【００２５】
サービスプロバイダインターフェイス２０４−１〜２０４−ＭとＤＨＵ２０２−１〜２０２−Ｎの相互接続は、具体的なシステムのニーズに基づいて構成されている。いくつかの実施例においては、スプリッタ（ｓｐｌｉｔｔｅｒ）／コンバイナ（ｃｏｍｂｉｎｅｒ）回路を使用することにより、複数のサービスプロバイダインターフェイス２０４−１〜２０４−Ｍが、同一のＤＨＵ２０２−１〜２０２−Ｎに結合されている。その他の実施例においては、同一のサービスプロバイダインターフェイス２０４−１〜２０４Ｍが、複数のＤＨＵ２０２−１〜２０２−Ｎに結合されている。一例においては、マスタホストユニット２００により、単一のプラットフォーム上における複数の建物内への８００ＭＨｚのセルラー帯域及び１．９ＧＨｚのＰＣＳ帯域の両方の拡張が実現されている。この実施例においては、マスタホストユニット２００は、４つのＤＨＵ２０２−１〜２０２−４を含んでいる。ＤＨＵ２０２−１〜２０２−３は、ＰＣＳ帯域の３つのセグメントの処理に専用となっており、ＤＨＵ２０２−４は、８００ＭＨｚ帯域に専用となっている。更には、サービスプロバイダインターフェイス２０４−１は、トランシーバ基地局であり、１．９ＧＨｚ帯域の第１セグメントを提供するべくＤＨＵ２０２−１に結合されている。更には、サービスプロバイダインターフェイス２０４−２も、トランシーバ基地局であり、２つのＰＣＳセグメントをＤＨＵ２０２−２及び２０２−３に対して提供するべく、スプリッタ／コンバイナ２０５を通じて結合されている。最後に、サービスプロバイダインターフェイス２０４−３は、リピーターであり、且つ、８００ＭＨｚのサービスをＤＨＵ２０２−４に提供するべく結合されている、尚、図２に示されている構成は、一例として提供されたものであり、限定を意図したものではない。サービス及びサービスプロバイダのその他の組み合わせをサポートするためのその他の構成も、このアーキテクチャによってサポートされている。
【手続補正３】
【補正対象書類名】明細書
【補正対象項目名】００３２
【補正方法】変更
【補正の内容】
【００３２】
ＩＶ．マスタ拡張ユニット
図３は、図１のシステム１００のマスタ拡張ユニットの一実施例のブロックダイアグラムであり、参照符号３００によって総合的に示されている。マスタ拡張ユニット３００は、マスタホストユニットとリモートサーバユニットの間において伝送される信号をデジタル的に分割及び加算することにより、システム１００のデジタルトランスポートリンク内におけるポイントツーマルチポイント通信を実現している。この実施例においては、マスタ拡張ユニット３００は、デジタル化されたフォーマットにおいて無線信号をデジタル的に分割及び加算する複数の回路３０２−１〜３０２−Ｎを中心として構築されている。それぞれの回路３０２−１〜３０２−Ｎは、本システムによって搬送される無線スペクトルの一部分と関連付けられている。それぞれの回路３０２−１〜３０２−Ｎは、ダウンストリームにおいては、その割り当てられたスペクトルをデジタル的に分割しており、この結果、このスペクトルは、複数のリモートサーバユニットに供給されている。アップストリームにおいては、それぞれの回路３０２−１〜３０２−Ｎは、その割り当てられたスペクトルにおけるすべてのリモートサーバユニットからの信号をデジタル的に加算している。この例においては、回路３０２−１〜３０２−Ｎは、エーディーシー・テレコミュニケーションズ社から市販されているＤｉｇｉｖａｎｃｅ（商標）  デジタル拡張ユニット（Ｄｉｇｉｔａｌ  Ｅｘｐａｎｓｉｏｎ  Ｕｎｉｔ：ＤＥＵ）を有している。その他の実施例においては、同様のデジタル的な分割及び加算を実行するその他の回路が使用されている。
【手続補正４】
【補正対象書類名】明細書
【補正対象項目名】００３５
【補正方法】変更
【補正の内容】
【００３５】
又、マスタ拡張ユニット３００は、例えば、図１のシステム１００内においてアラーム情報を伝達するためのメカニズムなどを提供する動作（Ｏｐｅｒａｔｉｏｎｓ）、管理（Ａｄｍｉｎｉｓｔｒａｔｉｏｎｓ）及び保守（Ｍａｉｎｔｅｎａｎｃｅ）（Ｏ、Ａ、及びＭ）チャネルを提供する回路をも含んでいる。マスタ拡張ユニット３００は、ＭＵＸ回路３０５に結合された第１モデム３０９をも含んでいる。モデム３０９は、アラーム制御ユニット３１０にも結合されている。アラーム制御ユニット３１０は、モデムのバンク３０８−１〜３０８−Ｔにも結合されている。一実施例においては、モデム３０８−１〜３０８−Ｔは、光モデムである。その他の実施例においては、モデム３０８−１〜３０８−Ｔは、無線又は有線モデムである。それぞれのモデム３０８−１〜３０８−Ｔは、対応するＭＵＸ３０６−１〜３０６−Ｔに結合されている。モデム３０８−１〜３０８−Ｔとの間の信号は、リモートサーバユニットとの間においてアラームメッセージを通信するべく、関連するマルチプレクサ回路の個別の光搬送波上に重畳されている。アラーム制御ユニット３１０は、マスタホストユニットとリモートサーバユニットの間において、モデム３０９及びモデム３０８−１〜３０８−Ｔを介してアラームメッセージを伝達している。
【手続補正５】
【補正対象書類名】明細書
【補正対象項目名】００３７
【補正方法】変更
【補正の内容】
【００３７】
動作の際には、マスタ拡張ユニット３００は、無線カバレッジを複数の建物内に拡張する通信システム内のマスタホストユニットとリモートサーバユニットとの間において信号を通信している。ダウンストリーム方向においては、マスタ拡張ユニット３００は、ＭＵＸ３０５において、マスタホストユニット又は別のマスタ拡張ユニットから、複数の搬送波上のデジタル化された無線信号を受信している。ＭＵＸ回路３０５は、これらの信号を様々なサービスに従って分離し、これらの信号を関連するＤＥＵ３０２−１〜３０２−Ｎに伝達している。これらのデジタル化された信号はＤＥＵ３０２−１〜３０２−Ｎ内においてデジタル的に分割される。それぞれのＤＥＵ３０２−１〜３０２−Ｎは、その出力をＭＵＸ回路３０６−１〜３０６−Ｔのそれぞれに対して供給している。ＭＵＸ回路３０６−１〜３０６−Ｔは、ＤＥＵ３０２−１〜３０２−Ｎからの信号を、例えば、複数の光搬送波上に多重化することにより、すべてのデジタル無線サービスを表す統合された信号を供給している。それぞれのＭＵＸ回路３０６−１〜３０６−Ｔは、出力を、例えば、デジタル光ケーブルに供給することにより、統合されたデジタル化信号を複数の建物又は閉鎖された構造に搬送している。
【手続補正６】
【補正対象書類名】明細書
【補正対象項目名】００３８
【補正方法】変更
【補正の内容】
【００３８】
アップストリーム方向においては、ＭＵＸ回路３０６−１〜３０６−Ｔは、デジタル的な加算のために、適切なデジタル化されたスペクトルを関連するＤＥＵ３０２−１〜３０２−Ｎに対して供給している。ＤＥＵ３０２−１〜３０２−Ｎは、マスタホスト又は別のマスタ拡張ユニットに伝送するべく、関連するサービスのデジタル化されたスペクトルの加算された出力をＭＵＸ回路３０５に対して供給している。
【手続補正７】
【補正対象書類名】明細書
【補正対象項目名】００３９
【補正方法】変更
【補正の内容】
【００３９】
アラーム制御ユニット３１０及びモデム３０９及び３０８−１〜３０８−Ｔは、マスタ拡張ユニット３００のアラームメッセージを処理している。アラーム制御ユニット３１０は、関連するモデム３０８−１〜３０８−Ｔを介してリモートユニットからメッセージを受信している。更には、アラーム制御ユニット３１０は、その関連するモデム３０８−１〜３０８−Ｔを通じて、選択されたリモートユニットに対してアラーム及びその他のメッセージを伝達している。
【手続補正８】
【補正対象書類名】明細書
【補正対象項目名】００４２
【補正方法】変更
【補正の内容】
【００４２】
図２のマスタホストユニット２００と同様に、リモートサーバユニット４００は、このユニットを通じて搬送される無線サービスに基づいて構成されている。図２からの例を継続すれば、ＤＲＵ４０２−１〜４０２−３は、１．９ＧＨｚのＰＣＳ帯域の３つのセグメントと関連付けられている。従って、ＤＲＵ４０２−１〜４０２−３のＲＦポートは、スプリッタ／コンバイナ４０８に結合されている。スプリッタ／コンバイナ４０８は、双方向増幅器（Ｂｉ−Ｄｉｒｅｃｔｉｏｎａｌ  Ａｍｐｌｉｆｉｅｒ：ＢＤＡ）４１０との間において、１．９ＧＨｚのＰＣＳのアナログスペクトルを通信するべく、更に結合されている。更には、ＤＲＵ４０２−４は、８００ＭＨｚのセルラーサービスと関連付けられている。ＤＲＵ４０２−４は、双方向増幅器（ＢＤＡ）４１２との間において、８００ＭＨｚのアナログセルラースペクトルを通信している。双方向増幅器４１０及び４１２は、スプリッタ／コンバイナ４１４との間において、その個々の帯域のそのアナログ表現を通信している。スプリッタ／コンバイナ４１４は、図５のリモートユニット６００に基づいたリモートユニットなどの複数のリモートユニットに対してインターフェイス４１６を提供している。一実施例においては、インターフェイス４１６は、例えば、４つ以上のポートなどの複数のポートを含んでいる。これらのポートは、アナログトランスポートセグメント上において、リモートサーバユニット４００によってサポートされているすべてのサービスの合成されたアナログスペクトルを通信している。いくつかの実施例においては、これらのポートは、アナログ同軸ケーブル用に適合されている。その他の実施例においては、これらのポートは、アナログ光ファイバと共に使用するべく適合されている。いくつかの実施例においては、相対的に長い距離における改善された通信を提供するべく、例えば、同軸ケーブル上における伝送のために相対的に低いスペクトルにダウンコンバージョンするなど、アナログスペクトルを異なるスペクトルに移動させている。
【手続補正９】
【補正対象書類名】明細書
【補正対象項目名】００４３
【補正方法】変更
【補正の内容】
【００４３】
リモートサーバユニット４００は、本通信システムのアラームメカニズムの一部としてモデム４１７及びアラームコンセントレータ４１８をも含んでいる。一実施例においては、モデム４１７は、光モデムである。その他の実施例においては、モデム４１７は、無線又は有線モデムである。アラームコンセントレータ４１８は、インターフェイス４１６上において、リモートユニットからアラーム及びその他のメッセージを受信している。アラームコンセントレータ４１８は、これらのメッセージをモデム４１７を通じてアップストリームに伝達している。ダウンストリーム方向においては、リモートユニット用のメッセージをモデム４１７において受信し、アラームコンセントレータ４１８を通じて適切なリモートユニットに対して供給している。
【手続補正１０】
【補正対象書類名】図面
【補正対象項目名】図４
【補正方法】変更
【補正の内容】
【図４】
2008546357.tif 000001